(57)【特許請求の範囲】
【請求項１】
本体と、
本体が備える収納部のコネクタに接続されるプラグインユニットを含み、本体の収納部に挿抜される挿抜モジュールと、
を有する電子機器において、
収納部の内壁に設けられ、挿抜モジュールを収納部内に拘持させる突起を有し、
この突起は、
挿抜モジュールの略中央より挿入開口側の位置に設けられるとともに、
本体とプラグインユニットとの接続部であるコネクタを支点として、挿抜モジュールに生じる揺動の変位方向の少なくとも一方へ向けて形成されていること、
挿抜モジュールの突起への対向面は、
挿抜モジュールを収納部に挿入したときに、突起に圧接される圧接部分と、
この圧接部分より挿入方向の前方に位置し、突起から後退して収納部への緩挿を促す緩挿部分と、
を有すること、
を特徴とする挿抜モジュールを有する電子機器。
【請求項２】
請求項１に記載の電子機器において、
緩挿部分は、
挿入方向に延在し、突起を受け入れる溝として形成されること、
を特徴とする挿抜モジュールを有する電子機器。
【請求項３】
請求項１に記載の電子機器において、
プラグインユニットは、収納部内壁に圧接する突起を有すること、
を特徴とする挿抜モジュールを有する電子機器。
【請求項４】
請求項１に記載の電子機器において、
挿抜モジュールは、
プラグインユニットを把持するユニットホルダーを有し、
ユニットホルダーは、収納部内壁に圧接する突起を有すること、
を特徴とする挿抜モジュールを有する電子機器。
【発明の詳細な説明】
【０００１】
【発明の属する技術分野】
本発明は、電子機器に挿抜される挿抜装置及び挿抜モジュールを一部に含んだ電子機器に関し、特に挿抜装置及び挿抜モジュールの制振に関する。
【０００２】
【従来の技術】
従来より、コンピュータ等の電子機器に用いられるハードディスクドライブ（ＨＤＤ）を活線挿抜可能に構成することが行われている。
【０００３】
従来より例えば、コンピュータ等の電子機器に複数のＨＤＤを接続可能とし、電子機器本体の電源は入れた状態で一部のＨＤＤを使用しながら、他のＨＤＤを交換等の必要に応じて取り外したり、また反対に新たなＨＤＤを電子機器に接続することが行われる。この電源を切らずに脱着する方式として、１つの面を開口とされたボックス型のＨＤＤ収納シャーシを用い、当該開口から収納シャーシにＨＤＤを抜き差しする活線挿抜と呼ばれる方式がある。この方式では、収納シャーシの奥側に設けられたコネクタにＨＤＤ側のコネクタが差し込まれ、電子機器本体とＨＤＤとが電気的に接続されるとともに、ＨＤＤが収納シャーシに剛固定される。このような抜き差しによる方式は、脱着作業が簡単であり便利である。この方式では、スムーズな挿抜を可能とするために、収納シャーシとＨＤＤとの間に寸法クリアランスが設けられる。
【０００４】
【発明が解決しようとする課題】
ＨＤＤは内部に回転する磁気ディスク等の可動部を有し、その動作によって振動を発生し得る。そのため、上述のように収納シャーシとＨＤＤとの間に寸法クリアランスがあると、その範囲でＨＤＤ自体が振動して、ＨＤＤ動作のエラーにつながるおそれがあるという問題があった。特に、ＨＤＤのリード／ライト動作では、内部のデータ記録媒体である磁気ディスク上に、アームは１μｍ程度の精度で位置決めを実施しており、収納シャーシの寸法クリアランス程度の微小な振幅でもエラーを生じるおそれがある。
【０００５】
また、ＨＤＤは収納シャーシの奥でコネクタを介して固定されても、手前側では前述の寸法クリアランスの範囲で可動である。そのため、ＨＤＤ内のディスクの回転に起因して、収納シャーシ奥でＨＤＤを固定するコネクタ部分を支点としたディスク面に沿った方向の揺動が発生しやすく、この方向の揺動はＨＤＤのアームの位置決め精度に影響を与えやすいという問題があった。
【０００６】
本発明は上記問題点を解消するためになされたもので、ＨＤＤ等、電子機器に挿抜される挿抜装置、挿抜モジュールが収納部内にて振動することを抑制することを目的とする。
【０００７】
【課題を解決するための手段】
本発明に係る挿抜装置は、電子機器本体が備える収納部のコネクタに接続されるプラグインユニットを含み、電子機器本体の収納部に挿抜されるものである。本発明に係る挿抜装置は、電子機器本体に挿入されたときに、収納部内壁に圧接する突起を有している。
【０００８】
この突起は、挿抜装置の略中央より挿入開口側の位置に設けられるとともに、電子機器本体とプラグインユニットとの接続部であるコネクタを支点として、挿抜装置に生じる揺動の変位方向の少なくとも一方へ向けて形成されていることを特徴とする。
【０００９】
他の本発明に係る挿抜装置においては、プラグインユニットが、収納部内壁に圧接する突起を有することを特徴とする。
【００１０】
また他の本発明に係る挿抜装置は、プラグインユニットを把持するユニットホルダーを有している。このユニットホルダーは、収納部内壁に圧接する突起を有することを特徴とする。
【００１１】
挿抜モジュールを有する本発明に係る電子機器は、本体と、本体が備える収納部のコネクタに接続されるプラグインユニットを含み、本体の収納部に挿抜される挿抜モジュールとを有している。
【００１２】
この挿抜モジュールを有する本発明に係る電子機器は、収納部の内壁に設けられ、挿抜モジュールを収納部内に拘持させる突起を有している。この突起は、挿抜モジュールの略中央より挿入開口側の位置に設けられるとともに、本体とプラグインユニットとの接続部であるコネクタを支点として、挿抜モジュールに生じる揺動の変位方向の少なくとも一方へ向けて形成されていることを特徴とする。
【００１３】
挿抜モジュールを有する本発明に係る電子機器においては、挿抜モジュールの突起への対向面は、挿抜モジュールを収納部に挿入したときに、突起に圧接される圧接部分と、この圧接部分より挿入方向の前方に位置し、突起から後退して収納部への緩挿を促す緩挿部分とを有することを特徴とする。
【００１４】
挿抜モジュールを有するさらに他の本発明に係る電子機器においては、緩挿部分が、挿入方向に延在し、突起を受け入れる溝として形成されることを特徴とする。
【００１５】
挿抜モジュールを有する別の本発明に係る電子機器においては、プラグインユニットが、収納部内壁に圧接する突起を有することを特徴とする。
【００１６】
挿抜モジュールを有するさらに別の本発明に係る電子機器においては、挿抜モジュールは、プラグインユニットを把持するユニットホルダーを有し、ユニットホルダーが、収納部内壁に圧接する突起を有することを特徴とする。
【００１７】
【発明の実施の形態】
［実施の形態１］
次に、本発明の実施形態について図面を参照して説明する。
【００１８】
図１は、本発明の第１の実施の形態である電子機器に備えられた収納シャーシ（収納部）及びそれに挿抜されるＨＤＤモジュール（挿抜装置又は挿抜モジュール）の斜視図である。図１において、収納シャーシ２は、金属板等を用いて「ロ」の字型に構成され、その一方の開口に面して、ＨＤＤモジュール４が接続されるコネクタ等が取り付けられた基板６が配置される。収納シャーシ２と基板６とは、スペーサ８を介してネジ止め固定されている。ＨＤＤモジュール４は収納シャーシ２のもう一方の開口から差し込まれ、その挿入方向前端に設けられたコネクタと基板６のコネクタとが結合される。収納シャーシ２は、例えばその開口を横に向けて配置され、ＨＤＤモジュール４は例えば立てた状態で収納シャーシ２に複数並列に装着することができる。
【００１９】
図２は、ＨＤＤモジュール４が収納シャーシ２に挿入された状態を示す模式的な側面図である。ＨＤＤモジュール４は、電子機器に接続されてその一部として機能するＨＤＤ本体１０（プラグインユニット）がホルダー１２（ユニットホルダー）に把持される構造を有している。ＨＤＤ本体１０はホルダー１２にネジ止め等により固定され、ホルダー１２は収納シャーシ２に応じた外形に構成される。ホルダー１２を用いることにより、ＨＤＤ本体１０の形状に挿抜のためのインタフェースがなくても収納シャーシ２に取り付けることが可能である。
【００２０】
ＨＤＤモジュール４は、ＨＤＤ本体１０のコネクタを基板６に設けられたコネクタ１４に差し込まれる。これにより、ＨＤＤモジュール４は挿入方向前端部において電子機器本体に固定される。
【００２１】
一方、ＨＤＤモジュール４の高さは、寸法クリアランスを考慮し、収納シャーシ２の開口高さよりわずかに小さく構成される。図２において、この寸法クリアランスは、ＨＤＤモジュール４の上面と収納シャーシ２内面との間隙１６として表されている。このように、寸法クリアランスを設けることにより、収納シャーシ２やＨＤＤモジュール４のサイズに多少のばらつきが生じても両者が干渉することなく、スムーズなＨＤＤモジュール４の着脱が実現される。
【００２２】
さて、ＨＤＤ本体１０の内部には磁気ディスクが縦方向に回転するように格納され、それに応じてＨＤＤ本体１０及びＨＤＤモジュール４に縦方向の力の変動が生じ得る。そのため、ＨＤＤモジュール４はコネクタ１４を支点として収納シャーシ２内で上下方向に振動しようとする。
【００２３】
本装置の特徴は、この振動を抑制するために、ＨＤＤモジュール４の上面に突起２０を設けた点にある。突起２０はホルダー１２に設けられ、間隙１６に応じた高さを有する。突起２０は、ＨＤＤモジュール４を収納シャーシ２に挿入した状態で、収納シャーシ２の内壁に圧接される。これにより、ＨＤＤモジュール４は挿入方向前端部にて固定されるだけでなく、その上下方向においても電子機器本体に固定される。これにより、上述した磁気ディスクの回転に起因するＨＤＤモジュール４の縦方向の振動が抑制される。
【００２４】
突起２０は、収納シャーシ２内壁に圧接されるため、挿抜時に摩擦による抵抗を生じるが、その収納シャーシ２への接触面積は小さいので、抵抗力も抑制される。よって、作業者は容易にＨＤＤモジュール４を挿抜することができる。また、ＨＤＤモジュール４を挿入する側から見て手前寄りの位置に突起２０を設ければ、突起２０と収納シャーシ２内壁とが摺動する距離が低減され、ＨＤＤモジュール４の一層の容易な挿抜が実現される。
【００２５】
また、突起２０の挿入方向に関する位置は、振動を効果的に抑制するという観点から定められる。例えば、あまりにコネクタ１４寄りの位置では振動抑制の効果が薄れると考えられる。そのため、例えば、突起２０はＨＤＤ本体１０の中央付近やそれより収納シャーシ２の挿入開口側の位置に設けることが好適であろう。図２に示す例では、そのような観点から挿入開口近くに突起２０を配置している。より詳細には、例えば、振動周期やＨＤＤモジュール４の固有振動モードの解析に基づいて好適な位置を定めることができる。その結果によっては、突起２０を挿入方向の一箇所だけでなく、数箇所に設けることが好適である場合もあり得る。
【００２６】
本実施の形態では突起２０は、ホルダー１２と同じ材質で構成され、収納シャーシ２とＨＤＤモジュール４との間隙１６の距離が変動しない、すなわちＨＤＤモジュール４が振動しないように構成される。しかし、磁気ディスクの回転によりＨＤＤモジュール４を上下動させようとする力やその力に起因する突起２０の位置での振動を抑制できるものであれば、ホルダー１２とは異なる材質で突起２０を構成することもできる。
【００２７】
図２は、ＨＤＤモジュール４の上側又は下側のいずれか一方に突起２０を設ける例であった。これに対して図３に示す例は、ＨＤＤモジュール４の収納シャーシ２内壁に対向する面の両方に突起２０を設ける構成である。このように突起２０を両側に設ける構成は、ＨＤＤモジュール４が収納シャーシ２内に水平に配置され、突起２０が収納シャーシ２の左右の内壁に当接される電子機器において特に好適である。
【００２８】
突起２０の形状は、図２及び図３に示すような半球状のものに限られない。図４は、他の突起の形状を示す模式的な断面図である。図４（ａ）は断面が三角形である突起２１である。また同図（ｂ）は断面が台形である突起２２であり頂上に平面部を有している。また同図（ｃ）は断面が三角形の突起２１が挿入方向に２連に設けられる構成である。
【００２９】
なお、上述のＨＤＤモジュール４はＨＤＤ本体１０とホルダー１２から構成されるものであったが、ホルダー１２を用いずにＨＤＤ本体１０を収納シャーシ２に装着する場合もある。その場合には、ＨＤＤ本体１０の収納シャーシ２に対向する面に突起２０を設けることにより、同様にＨＤＤ本体１０の振動を抑制することができる。
【００３０】
［実施の形態２］
図５は、本発明の第２の実施の形態である電子機器に備えられた収納シャーシ及びそれに挿抜されるＨＤＤモジュールの斜視図である。図５において、上記実施の形態と同様の構成要素には同一の符号を付し、説明の簡略化を図る。本実施の形態が上記実施の形態と相違する点は、ＨＤＤモジュール３０の振動を抑制する突起を収納シャーシ３２側に設けた点である。その突起３４は、例えば収納シャーシ３２を構成する金属板を収納シャーシ３２の内側に打ち出して形成され、図５においては収納シャーシ３２の外側に形成された凹部として表れている。
【００３１】
図６は、ＨＤＤモジュール３０が収納シャーシ３２に挿入された状態を示す模式的な側面図である。突起３４は例えば三角形であり収納シャーシ３２の挿入開口の上面手前側に設けられている。ＨＤＤモジュール３０のホルダー３５の上面のうち、装着状態で突起３４に対向する部分３６は、突起３４に圧接されるように構成される。一方、この圧接部分３６より挿入方向前方寄りの部分は、突起３４の頂部から後退されて形成され、収納シャーシ３２への緩挿を可能とする緩挿部分３８である。すなわち緩挿部分３８は手前部分３６より一段低くなるように形成され、突起３４との摩擦が回避又は低減されるので、ＨＤＤモジュール３０をスムーズに収納シャーシ３２に挿抜することができる。
【００３２】
図６は、収納シャーシ３２上側内壁に突起３４を設ける例であった。これに対して図７に示す例は、収納シャーシ３２のＨＤＤモジュール４に当接される両側の内壁に突起３４を設ける構成である。この場合、ＨＤＤモジュール３０の左面と右面との両方（ＨＤＤモジュール４を水平収納する場合）、又は上面と下面との両方（ＨＤＤモジュール４を垂直収納する場合）に圧接部分３６と緩挿部分３８とが形成される。
【００３３】
図８は、ＨＤＤモジュール３０の一例の斜視図である。このＨＤＤモジュール３０においては、緩挿部分３８が挿抜方向の溝４０として形成される点が特徴である。すなわち、溝４０は突起３４を回避する深さに形成される。つまり溝４０の底面と収納シャーシ３２との間隔は寸法クリアランスとして必要な値より大きく、一方、溝４０の両側と収納シャーシ３２との間隔は寸法クリアランス程度に形成される。このように緩挿部分３８を溝４０として構成することにより、突起３４による摩擦を受けないという点でスムーズな挿抜が実現される。また、突起３４と溝４０とが係わり合うことにより、溝４０がＨＤＤモジュール３０の挿抜時のガイドとして機能し、ＨＤＤモジュール３０がぶれることなく挿抜される。
【００３４】
なお、緩挿部分３８と圧接部分３６との境界をなだらかなスロープに形成することにより、ＨＤＤモジュール３０を収納シャーシ３２に挿入する際に、突起３４がその境界をより円滑に通過することができる。
【００３５】
【発明の効果】
本発明に係る挿抜装置によれば、電子機器の本体への挿入状態にて収納部内壁へ圧接される突起を備えることによって、挿抜装置に含まれ電子機器の一部を構成するプラグインユニットの振動が抑制される効果が得られる。
【００３６】
本発明に係る電子機器によれば、挿抜モジュールを本体へ挿入した状態にて両者を圧接させる突起を備えることによって、電子機器の一部を構成するプラグインユニットの振動が抑制される効果が得られる。
【００３７】
本発明に係る電子機器によれば、本体側は収納部内壁に突起を備え、挿抜モジュール側は挿入状態にて突起に圧接される圧接部分と、挿入方向前方部に突起から後退した緩挿部分とを備えることによって、挿入状態ではプラグインユニットの振動が抑制されるとともに、緩挿部分での突起の摩擦が回避されることにより挿抜がスムーズに行われるという効果が得られる。
【図面の簡単な説明】
【図１】  本発明の第１の実施の形態である電子機器に備えられた収納シャーシ及びそれに挿抜されるＨＤＤモジュールの斜視図である。
【図２】  上面にのみ突起を有したＨＤＤモジュールが収納シャーシに挿入された状態を示す模式的な側面図である。
【図３】  上下面に突起を有したＨＤＤモジュールが収納シャーシに挿入された状態を示す模式的な側面図である。
【図４】  種々の突起の形状を示す模式的な断面図である。
【図５】  本発明の第２の実施の形態である電子機器に備えられた収納シャーシ及びそれに挿抜されるＨＤＤモジュールの斜視図である。
【図６】  ＨＤＤモジュールが上側の内壁にのみ突起を有した収納シャーシに挿入された状態を示す模式的な側面図である。
【図７】  ＨＤＤモジュールが上下内壁に突起を有した収納シャーシに挿入された状態を示す模式的な側面図である。
【図８】  ＨＤＤモジュールの一例の斜視図である。
【符号の説明】
２，３２  収納シャーシ、４，３０  ＨＤＤモジュール、６  基板、１０  ＨＤＤ本体、１２，３５  ホルダー、１４  コネクタ、１６  間隙、２０，３４  突起、３６  圧接部分、３８  緩挿部分、４０  溝。
【図１】
0003667189.tif 000002
【図２】
0003667189.tif 000003
【図３】
0003667189.tif 000004
【図４】
0003667189.tif 000005
【図５】
0003667189.tif 000006
【図６】
0003667189.tif 000007
【図７】
0003667189.tif 000008
【図８】
0003667189.tif 000009